(57)【要約】【技術課題】  歯間ブラシにおいてスイッチ部分から内部に水が浸入してトラブルになるのを防ぐと共に使用時に弱、中、強の切り換えを可能にする。【解決手段】筒状ホルダー１内に電池９とこの電池９を電源として回転するモータ１０と、前記モータ１０の回転運動を受けて先端側が直角方向に微振動する振動軸６を設けると共にこの振動軸６の先端に着脱自在にブラシ４を取り付けた構成の電動歯間ブラシにおいて、前記ホルダー１の底部には前記モータ１０の電源を弱、中、強に切り換えるためのロータリー式のスイッチ機構を設ける。そして、このロータリー式スイッチ機構をツマミ２２で切り換えて使用できるようにすると共に連動軸２３のところにＯリング２４を組み付けて防水を図る。【選択図】図３
2012035061.tif 000002
【特許請求の範囲】
【請求項１】
ａ．筒状ホルダー内に電池とこの電池を電源として回転するモータと、前記モータの回転運動を受けて先端側が直角方向に微振動する振動軸を設けると共にこの振動軸の先端に着脱自在にブラシを取り付けた構成の電動歯間ブラシにおいて、
ｂ．前記ホルダーの底部には前記モータの電源をＯＮ、ＯＦＦ及び強、中、弱又は強、弱に切り換えるためのロータリースイッチを取り付けたこと、
ｃ．前記ロータリースイッチのツマミは前記ホルダーの底部の外に露出していること、
ｄ．前記ロータリースイッチの基板は接触子側を下向きに、この基板に対向する回転接触子側は前記基板と対向するようにして前記ホルダーの底部仕切壁と前記電池間に組み付けたこと、
ｅ．前記回転接触子と前記ツマミは、前記底部仕切壁を経由する連動軸を介して連結されていると共にこの連動軸と底部仕切壁間には防水を目的としてＯリングを組み付けたこと、
ｆ．を特徴とする電動歯間ブラシ。
【請求項２】
前記モータの回転軸の回転を歯車を経由して直角方向に転換する回転出力軸を設けると共にこの回転出力軸の先端にブラシを取り付けたこと、を特徴とする請求項１に記載の電動歯間ブラシ。
【請求項３】
前記ブラシは、多数の繊維を束ねてその根元側がブラシホルダーに拘束されていること、を特徴とする請求項１又は２に記載の電動歯間ブラシ。
【請求項４】
前記振動軸又は回転出力軸において、前記ホルダーの先端側に形成した開放部から露出した部分に円周シール溝を形成し、このシール溝内に係合するように上端の内側にシールリブを形成したシール部材を振動軸又は回転出力軸に外装すると共にこのシール部材をストッパーを用いてホルダー側に保持させたこと、を特徴とする請求項１又は２に記載の電動歯間ブラシ。
【請求項５】
前記ホルダーの胴体部の一部に電池とモータ間の電源回路をＯＮ、ＯＦＦする防水カバー付の電源スイッチを取り付けると共に前記ホルダーの底部に前記モータの回転を強と弱又は強と中と弱に切り替える切替スイッチを取り付けてなる請求項１に記載の電動歯間ブラシ。
【請求項６】
前記振動軸の中間に対して軸方向から着脱自在の柄棒を形成すると共にこの柄棒の先端部に直角方向に向けてブラシ毛を植設した差し替え用のブラシ体を設けてなる請求項１に記載の電動歯間ブラシ。
【請求項７】
筒状ホルダー内に電池とこの電池を電源とするモータを組み込むと共に前記モータの回転軸方向に延長してすりこぎ運動発生部材を介してＤＮＡ抽出ヘッドを取り付け、かつこのＤＮＡ抽出ヘッドのすりこぎ運動の強、弱又は強、中、弱を切り替えるための制御スイッチ及び前記モータの電源をＯＮ、ＯＦＦするための電源スイッチを前記ホルダーの底部に設けてなるＤＮＡ抽出具。
【請求項８】
前記ＤＮＡ抽出ヘッドの表面を粗面に加工すると共にＤＮＡ抽出試料容器の内面を粗面に加工して試料の擂潰を促進させるように構成してなる請求項７に記載のＤＮＡ抽出具。
【請求項９】
前記ＤＮＡ抽出ヘッド軸の一部に鍔部を形成し、この鍔部をＤＮＡ抽出試料容器の口内に位置させることにより、抽出作業中に試料が容器の口から外に飛び出さないように形成してなる請求項７に記載のＤＮＡ抽出具。
【請求項１０】
前記モータの回転軸とＤＮＡ抽出ヘッド間に介在するすりこぎ運動発生部材は、弾性材で形成され、かつこの弾性材がモータの回転軸方向に対して傾斜していることにより、ＤＮＡ抽出ヘッド側にすりこぎ運動を発生させるように構成してなる請求項７に記載のＤＮＡ抽出具。
【発明の詳細な説明】
【技術分野】
【０００１】
本発明は、ホルダーの軸方向に対して直角方向にブラシを取り付けると共にこのブラシに対して往復の微振動又は回転運動を発生させて歯間及び歯茎の清掃とブラッシングを行う電動歯間ブラシに関する。
【背景技術】
【０００２】
公知の電動歯間ブラシは、特開２００１−０２３７４９号及び特開２００２−１７７３０４号及び特開２００９−０５６２５４号公報に紹介されているように、ブラシは線材に対して細毛が放射状に形成されていて、このブラシに対してモータにより回転又はピストン運動を与えたり、超音波振動を与えて歯間の清掃と歯茎のマッサージ等を行う機構となっており、その運転制御は、使い勝手を考慮してホルダーの側部に取り付けられた電源のＯＮ、ＯＦＦスイッチで行う構造である。
【０００３】
しかし、このようにブラシが線材に対して放射状に形成された構成の場合、歯間の隙間が狭いと歯間に入り込まないことから、十分に清掃ができないと共にマッサージも擦るような動きを与えるだけで、微小なつっつきによるマッサージ効果を与える動きはできない。また、ＯＮ、ＯＦＦスイッチはホルダーの側部に付いていることから、指先で操作ができるために使い勝手は良いが、このスイッチ部分から内部に水が浸入してトラブルになり易いという問題がある。
【０００４】
このように、水の浸入によるトラブル防止の目的から、実開平７−３４５４９公報には液密電池ホルダーが紹介されている。
【０００５】
この液密電池ホルダーは、キャップ部分の緩みによるホルダ部材内への水等の浸入を未然に防止するため、一端部に雌螺子部が形成されたホルダ部材と、雌螺子部に螺合する雄螺子部を有し、ホルダ部材の一端部に着脱可能に取付けられるキャップ部材と、ホルダ部材における両螺子部の噛合端開放側に部分に装着され、ホルダ部材に対するキャップ部材の螺じ込み後期から螺じ込み完了までの所定角度の範囲内においてキャップ部材に圧接されてホルダ部材とキャップ部材間をシールするシーリングと、ホルダ部材とキャップ部材とに夫々設けられ、ホルダ部材に対してキャップ部材を螺合させることで相互に接近し、所定角度の範囲内において接触して給電回路を閉成するホルダ側接触片及びキャップ側接触片とを備えさせた構成である。
【０００６】
しかし、この液密電池ホルダーは、電池の組み込み口からホルダー内への水の浸入は防止できるが、スイッチ部分からホルダー内への水の浸入は防止できない。
【０００７】
また、上記した公知文献の共通した問題として、ブラシの運動はＯＮ、ＯＦＦのみで、強、中、弱の切り換えはできないことから、特に高齢者や子供用にこの強、中、弱の切り換えを望む者がいても、これに応えられないという問題がある。
【０００８】
また、植物体からＤＮＡを抽出する際、現在は植物体を液体窒素で凍結させ、これを乳棒で砕き、抹茶状に加工する工程をとっているが、この方法によると、作業に時間がかかると共に抹茶状に加工したときにその粒子の大きさにバラツキが発生するという問題がある。
【発明の概要】
【発明が解決しようとする課題】
【０００９】
本発明は斯る点に鑑みて提供されるものであって、その目的は、スイッチ部分から水が浸入せず、使い手に応じてブラシの作動を段階的に切り換えることができ、更に植物体からのＤＮＡの抽出に際して行う抹茶状に擂り潰す作業の能率化と粒子の均一化を図るためにも用いることができる電動歯間ブラシを提供することである。
【課題を解決するための手段】
【００１０】
上記目的を達成するため、請求項１に記載の発明は、電動歯間ブラシにおいて、
ａ．筒状ホルダー内に電池とこの電池を電源として回転するモータと、前記モータの回転運動を受けて先端側が直角方向に微振動する振動軸を設けると共にこの振動軸の先端に着脱自在にブラシを取り付けた構成の電動歯間ブラシにおいて、
ｂ．前記ホルダーの底部には前記モータの電源をＯＮ、ＯＦＦ及び強、中、弱又は強、弱に切り換えるためのロータリースイッチを取り付けたこと、
ｃ．前記ロータリースイッチのツマミは前記ホルダーの底部の外に露出していること、
ｄ．前記ロータリースイッチの基板は接触子側を下向きに、この基板に対向する回転接触子側は前記基板と対向するようにして前記ホルダーの底部仕切壁と前記電池間に組み付けたこと、
ｅ．前記回転接触子と前記ツマミは、前記底部仕切壁を経由する連動軸を介して連結されていると共にこの連動軸と底部仕切壁間には防水を目的としてＯリングを組み付けたこと、
を特徴とするものである。
【００１１】
この発明によると、ロータリー式のスイッチ機構をホルダーの底部に移し、然もこのスイッチ機構とホルダー内を水密構造としたことにより、仮に水がホルダーにかかっても内部に浸入する心配がない。
【００１２】
また、スイッチ機構は、ロータリー式にＯＮ、ＯＦＦ、強、弱又はＯＮ、ＯＦＦ、強、中、弱とツマミを回転させて切り換えることができるため、使用する人に合わせた歯間の清掃やブラッシングを行うことができ、特に高齢者や子供用として優しい使用形態に調整できる。
【００１３】
また、植物体のＤＮＡの抽出に際し、その植物体に適合した強度で凍結した植物体を砕き、均一粒子の抹茶状に擂潰することができる。
【００１４】
次に、請求項２に記載の発明は、請求項１に記載の電動歯間ブラシにおいて、前記モータの回転軸の回転を歯車を経由して直角方向に転換する回転出力軸を設けると共にこの回転出力軸の先端に回転ブラシを取り付けたこと、を特徴とするものである。
【００１５】
この発明によると、微振動だけでなく、回転運動により歯間の清掃と歯茎のブラッシングを行うことができると共に、ＤＮＡの抽出用に用いることができる。
【００１６】
次に、請求項３に記載の発明は、請求項１又は２に記載の電動式歯間ブラシにおいて、前記ブラシは、多数の繊維を束ねてその根元側がブラシホルダーに拘束されていることを特徴とするものである。
【００１７】
この発明によると、微細な繊維束の先端で歯間の清掃と歯茎のブラッシングを行うことができる。
【００１８】
また、歯間に隙間が無い、又は極めて狭い隙間でも繊維の１本１本が入り込んで清掃を行うことができることから従来のブラシでは出来ないところまで奇麗に清掃を行うことができる。
【００１９】
次に、請求項４に記載の発明は、請求項１又は２に記載の電動式歯間ブラシにおいて、前記振動軸又は回転出力軸において、前記ホルダーの先端側に形成した開放部から露出した部分に円周シール溝を形成し、このシール溝内に係合するように上端の内側にシールリブを形成したシール部材を振動軸又は回転出力軸に外装すると共にこのシール部材をストッパーを用いてホルダー側に保持させたことを特徴とするものである。
【００２０】
この発明によると、シール部材は、振動軸の振動又は回転軸の回転に伴う微妙な振動現象に良く追従してシール性能を発揮し、内部に水が浸入するのを防止することができる。
【００２１】
次に、請求項５に記載の発明は、請求項１に記載の電動式歯間ブラシにおいて、前記ホルダーの胴体部の一部に電池とモータ間の電源回路をＯＮ、ＯＦＦする防水カバー付の電源スイッチを取り付けると共に前記ホルダーの底部に前記モータの回転を強弱又は強中弱に切り替える切替スイッチを取り付けてなることを特徴とするものである。
【００２２】
この発明によると、電源のＯＮ、ＯＦＦスイッチとブラシの強、弱を制御する切替スイッチを別々に設けたことにより、通常は毎回の使用に際して強、弱の切り替えを行うことはないため、電源スイッチをＯＮ、ＯＦＦするだけ使用することができ、使い勝手が良い。
【００２３】
また、電源スイッチをＯＮにしたまま強、弱の切り替えを連続的に行うことができるため、口内の歯間の位置に合わせて強弱を使い分けたりできて便利であると共にＤＮＡの注出に際しても強、弱を連続的に切り替えることができるため、作業の精度と能率の向上を図ることができる。
【００２４】
また、スイッチをＯＮ、ＯＦＦと強弱切り替えに分けたことにより、スイッチ構造をシンプル化して故障の発生率を低減できる。
【００２５】
次に、請求項６に記載の発明は、請求項１に記載の電動式歯間ブラシにおいて、前記振動軸の中間に対して軸方向から着脱自在の柄棒を形成すると共にこの柄棒の先端部に直角方向に向けてブラシ毛を植設した差し替え用のブラシ体を設けてなることを特徴とするものである。
【００２６】
この発明によると、歯間ブラシと通常のブラシを使い分けて使用することができる。
【００２７】
次に、請求項７に記載の発明は、ＤＮＡ抽出具において、筒状ホルダー内に電池とこの電池を電源とするモータを組み込むと共に前記モータの回転軸方向に延長してすりこぎ運動発生部材を介してＤＮＡ抽出ヘッドを取り付け、かつこのＤＮＡ抽出ヘッドのすりこぎ運動の強、弱又は強、中、弱を切り替えるための制御スイッチ及び前記モータの電源をＯＮ、ＯＦＦするための電源スイッチを前記ホルダーの底部に設けてなることを特徴とするものである。
【００２８】
この発明によると、歯間ブラシの機能を植物体からのＤＮＡ抽出にも使用することができる。
【００２９】
次に、請求項８に記載の発明は、請求項７に記載のＤＮＡ抽出具において、前記ＤＮＡ抽出ヘッドの表面を粗面に加工すると共にＤＮＡ抽出試料容器の内面を粗面に加工して試料の擂潰を促進させるように構成してなることを特徴とするものである。
【００３０】
この発明によると、擂潰時間の短縮と微細粒子化をより向上させることができる。
【００３１】
次に、請求項９に記載の発明は、請求項７に記載のＤＮＡ抽出具において、前記ＤＮＡ抽出ヘッド軸の一部に鍔部を形成し、この鍔部をＤＮＡ抽出試料容器の口内に位置させることにより、抽出作業中に試料が容器の口から外に飛び出さないように形成してなることを特徴とするものである。
【００３２】
この発明によると、試料の逸失を防ぐことができる。
【００３３】
次に、請求項１０に記載の発明は、請求項７に記載のＤＮＡ抽出具において、前記モータの回転軸とＤＮＡ抽出ヘッド間に介在するすりこぎ運動発生部材は、弾性材で形成され、かつこの弾性材がモータの回転軸方向に対して傾斜していることにより、ＤＮＡ抽出ヘッド側にすりこぎ運動を発生させるように構成してなることを特徴とするものである。
【００３４】
この発明によると、極めて簡単な構成によりすりこぎ運動をＤＮＡ抽出ヘッド側に発生させることができる。
【発明の効果】
【００３５】
本発明によると、スイッチ部分からホルダー内に水が浸入しないと共にブラッシング強度を任意に切り換えて使用できる。また、植物体からＤＮＡを抽出する作業の中で、凍結した植物体を効率良く均一に砕き、抹茶化できる。
【図面の簡単な説明】
【００３６】
【図１】本発明に係る電動歯間ブラシの斜視図。
【図２】キャップを閉じた状態の説明図。
【図３】本発明に係る電動歯間ブラシの断面図。
【図４】（Ａ）〜（Ｄ）  スイッチ機構とその作用の説明図。
【図５】ブラシの着脱部の説明図。
【図６】植物体からのＤＮＡの抽出に用いる歯間ブラシの説明図。
【図７】実施例３、４に係る電動歯間ブラシの斜視図。
【図８】図７に示したブラシの断面図。
【図９】実施例３に係るシール機構を示す断面図。
【図１０】シールカラーの説明図。
【図１１】（Ａ）（Ｂ）  実施例４に係るスイッチ機構を示す説明図。
【図１２】差し替え用ブラシ体を取り付けた歯間ブラシの説明図。
【図１３】差し替え用ブラシ体の説明図。
【図１４】ＤＮＡ抽出具の正面図。
【図１５】ＤＮＡ抽出具の平面図。
【図１６】ＤＮＡ抽出具の断面図。
【図１７】すりこぎ運動発生部材の説明図。
【図１８】すりこぎ運動発生部材の断面図。
【図１９】ＤＮＡ抽出具の使用状態の説明図。
【発明を実施するための形態】
【００３７】
本発明は、歯間の清掃と歯茎のブラッシング及び植物体からＤＮＡの抽出を行う際に凍結した植物体を抹茶状に破砕し、微粒子化する際に用いることができる電動歯間ブラシに関する。
【００３８】
本発明の歯間ブラシは、微細な繊維束の毛先を歯間や歯茎に当て、微振動（キツツキ運動）で清掃とマッサージを行うもので、従来のブラシに回転運動を与えて行う形態とは異なる。
【００３９】
微振動は、電池で駆動されるモータの回転を振動に変換してブラシに伝えるものである。
【実施例１】
【００４０】
図１〜図６に基づいて請求項１〜３に記載した発明の実施例を詳細に説明する。
【００４１】
図１は電動歯間ブラシ全体を示すもので、符号の１は内部を空胴に形成した樹脂製円筒状のホルダー、２はこのホルダー１から前方に突出した前頭カバー部であって、このカバー部２の側面の上半には開放部３が設けられていて、この開放部３の先端部からブラシ４がカバー部２（ホルダー１）に対して直角方向に向けて露出している。
【００４２】
ブラシ４は直径が５〜１０μの樹脂繊維を４０〜５０本束ねて基部５にその根元側が拘束されていて、基部５は、図３及び図５で明らかなように振動軸６の先端６ａに形成した嵌合凸部６ｂに基部５の嵌合凹部５ａを嵌合して着脱自在に取り付けた構成である。又、ブラシ４には繊維の弾性、太さ、本数、長さを変えたものが用意されていて、使用者の好みや大人と子供、高齢者と云った使用者に合わせて付け替え使用ができる。
【００４３】
図２において、７は前記前頭カバー２の外に被せたキャップであって、７ａは通気用のスリットである。
【００４４】
図３は内部構造を示すもので、ホルダー１内の下半分には水密構造に密閉された電池室８が形成され、この電池室８内には乾電池９がセットされている。
【００４５】
１０は前記乾電池９の出力を電源として駆動するモータであって、このモータ１０の回転軸１１には偏心回転子１２が取り付けられていて、この偏心回転子１２は前記した振動軸６の下端６ｃに形成した回転子受け部６ｄに係合しており、偏心回転子１２が偏心回転することにより振動軸６に対して中間の軸受１３を支点としてその先端６ａ側に往復の微振動を発生させ、これによりブラシ４が往復の微振動を行う構成である。
【００４６】
１４は電池室８の底部８ａの仕切壁であって、この仕切壁１４の内側には、図４に示すように＋極端子１６ａを乾電池９側に形成し、この反対側に＋極接触片１６ｂ及び図４に示す弱接触子１８、中接触子１９、強接触子２０を同一の円周線上に配置した基板１６が組み付けられている。
【００４７】
更に、仕切壁１４の内側であって、前記基板１６と対面する位置には、回転盤２０が組み付けられていて、この回転盤２０であって、前記基板１６の各接触子１８、１９、２０と間において、図４の斜線で示す位置関係で切、弱、中、強にモータ１０の回転を制御する切換接触子２１が組み付けられている。図３において１５は電池室８底部にＯリング１５ａを介して着脱自在に取り付けられた電池室キャップである。
【００４８】
スイッチ機構を図４に基づいて詳細に説明すると、図４の（Ａ）（Ａ’）は電源回路のツマミ（スイッチ）が閉の位置となっていて、モータ１０には電流は流れない。図４（Ｂ）（Ｂ’）はツマミ（スイッチ）が弱の位置に切り換った状態であって、スイッチつまみ２２に連動している接触子２１が９０°回転するとＲ２に制限された電流が、接触子２１、ＣＮ１の順番に流れＣＮ１からモーター１０へ電流が流れ、＋端子に接続されモーター１０が弱回転する。
【００４９】
図４（Ｃ）（Ｃ’）はツマミ２２が中の位置に切り換った状態であって、スイッチつまみ２２に連動している接触子２１が１８０°回転するとＲ１に制限された電流が、接触子２１、ＣＮ１の順番に流れＣＮ１からモーター１０へ電流が流れ、＋端子に接続されモーター１０が中回転する。
【００５０】
図４（Ｄ）（Ｄ’）はツマミ２２が強の位置に切り換った状態であって、スイッチつまみ２２に連動している接触子２１が２７０°回転すると制限されていない電流が、接触子２１、ＣＮ１の順番に流れ、ＣＮ１からモーター１０へ電流が流れ、＋端子に接続されモーター１０が強回転する。
【００５１】
上記したツマミ２２は、仕切壁１４の外であって、ホルダー１の電池室キャップ１５の底の部分に回転自在に取り付けられており、このツマミ２２は回転軸２３にビス２５で固定されていることにより、回転盤２０を回転して切、弱、中、強に切り換えることができる。図１、２において２２ａは切、弱、中、強の表記である。
【００５２】
２４は仕切壁１４と回転軸２３間に組み付けられたＯリングであって、回転軸２３を経由してスイッチ機構部に浸入する水を遮断する。２５はツマミ２２と接触子２１を連結しているねじである。
【実施例２】
【００５３】
本実施例２は、ブラシ４ａに対して実施例１で説明した往復の微振動ではなく、回転運動を付与することにより、歯間の清掃と歯茎のマッサージを行うことができるように構成したもので、本実施例２では図６に示すようにモータ１０の回転軸１１の回転が回転軸２５を経由して傘歯車２６に伝達され、ここで９０°方向を転換してブラシ４ａに回転を伝達する構造となっている。
【００５４】
本実施例２の使用形態としては、歯間の清掃と歯茎のブラッシング以外に植物体からのＤＮＡの抽出具としても用いることができる。
【００５５】
通常植物体からのＤＮＡの抽出を行う場合には、乳鉢に液体窒素を注ぎ入れ、凍結した植物体を乳棒で砕き抹茶状にする作業が必要となるが、この乳棒の代りに本実施例２のブラシ４ａを用いて凍結した植物体を砕き抹茶状にすることができる。
【００５６】
この時、実施例１で説明した微振動するブラシ４と併用することもできる。
【００５７】
このように、本発明によるブラシ４又は４ａを使用すると、乳棒を用いて抹茶状にする作業に比較して、手軽で短時間に作業を行うことができると共にブラシ４又は４ａは微振動あるいは高速の回転運動で凍結した植物体を抹茶状にすることから、微粒子化とこの均一化を図ることができるため、その後のＤＮＡの抽出に大変良い効果をもたらすことができる。
【実施例３】
【００５８】
本実施例３は、請求項４に記載したシール機構についての発明に対応し、図７〜１０にその具体的な構成を示す。
【００５９】
本シール機構１００は、図７、８に示すように前頭カバー２と開放部３の境界部分（ホルダー１の上端部）に組み付けられており、振動軸６の外周面には円周シール溝１０１が形成されている。そして、この円周シール溝１０１には、図９、１０に示す振動軸６に外装されたシール部材１０２の上端内周面に形成されたシールリブ１０３が係合し、シール部材１０２の下端には円盤状の鍔１０４が形成され、この鍔１０４は、前頭カバー２側（ホルダー１側）に形成した押え鍔１０５の下面に接し、更に振動軸６に形成した溝１０６に取り付けられたストッパー盤１０７間に挟まれている。
【００６０】
このシール機構１００によると、振動軸６の振動に連れてシール部材１０２が追従し、かつこのシール部材１０２のシールリブ１０３と鍔１０４でシールされるため、長期に亘り防水機能を発揮する。
【実施例４】
【００６１】
本実施例は、請求項５に記載した切替スイッチ２００に対応し、図７、８及び図１１（Ａ）（Ｂ）に具体的な構成を示す。
【００６２】
本切替スイッチ２００は、ホルダー１の胴体部１ａの側面に形成したスイッチ穴２０１がゴム製のシール膜２０２により覆われていて、このシール膜２０２の内側にプッシュ鉛２０４が位置する電池９とモータ１０間の電源回路をＯＮ、ＯＦＦするＯＮ、ＯＦＦスイッチ２０３が組み込まれている。
【００６３】
また、ホルダー１の底部内には、図１１（Ａ）（Ｂ）に示すような回転接触端子２０７、２０８が組み付けてあり、強弱切替スイッチ２０６は、この回転接触端子２０７、２０８との間において、ホルダー１の底部に取り付けられた回転ツマミ２１０を１８０°回転することにより、強（図１１（Ａ））と弱（図１１（Ｂ））に切り替えることができる。
【００６４】
図１１（Ａ）（Ｂ）において、２１１は電池９のマイナス極端子である。
【００６５】
なお、上記は強と弱の切り替えとなっているが、中間に中端子を設けて、強、中、弱の３段階切り替えを行うことができるようにしても良く、この３段階切り替えも本発明の技術的範囲内である。
【実施例５】
【００６６】
本実施例は、請求項６に記載した発明に対応するもので、実施例１〜４に記載したブラシ４、４ａに替えて通常のブラシ体３００に着け替えて使用できるように構成したものである。
【００６７】
図１２、１３には、振動軸６の途中を切り離してここに連結ボス３０４を突設し、ブラシ体３００の柄棒３０３の下端に前記連結ボス３０４との連結穴３０５を形成し、連結ボス３０４と連結穴３０５のところで着脱式とすることにより前記したブラシ４又は４ａと交換して使用可能としたものである。
【００６８】
このブラシ体３００は、植毛部３０２が広く、通常の横方向へのブラッシングに併せて所謂キツツキ運動が加わることにより、歯みがきのみならずよりマッサージ効果を高めることができる。
【実施例６】
【００６９】
本実施例は、請求項６〜１０に記載した発明に対応するもので、植物体からＤＮＡの抽出を行うためにこの植物体を擂り潰して抹茶状に微粒子化するときに用いるためのＤＮＡ抽出具であって、このＤＮＡ抽出具の詳細を図１４〜１９に基づいて説明する。
【００７０】
この抽出具は、ブラシの毛先を束ねてこのブラシにキツツキ運動を付与して植物を抹茶状に加工する前記したタイプに替わるもので、凍結させた植物体を試験管状の容器に入れ、これをすりこぎ運動するヘッドの作用で抹茶状に擂り潰すためのものである。
【００７１】
本実施例において、抽出具本体４００は筒状ホルダー４０１内に電池４０２を組み付け、モータ４０３の駆動源としているが、このスイッチはホルダー４０１の底部においてロータリー式のツマミ４０４により強、中、弱の３段階切り換え方式の接点４０５、４０６、４０７と、ツマミ４０４を押し込むと軸４０９を介してモータ４０３の電源がＯＮに、解放するとスプリング４１０により戻ってＯＦＦとなるブラシ端子４０８からなる。
【００７２】
また、ホルダー４０１の上部はモータ４０３の上方で終わっていて、モータ４０３の回転軸４１１には連結ダボ４１２が突出形成され、この連結ダボ４１２には、回転軸４１１の軸方向に対して図１７に示すように僅かな傾斜角Ｑがつけられた偏心運動部材４１３の連結穴４１４が着脱自在に嵌合している。
【００７３】
偏心運動部材４１３の軸身にはストッパー鍔４１７が形成され、このストッパー鍔４１７より上位には膨出部４１６が形成されていて、この膨出部４１６にアタッチメント４１８の下端に形成した穴４１９が嵌合している。
【００７４】
また、アタッチメント４１８の上端部側の中心には、嵌合穴４１９が設けられていて、この嵌合穴４１９に図１４〜１６に示すヘッド４２１を有するヘッド軸４２０の下部４２２が押し込まれることにより、モータ４０３の回転は、偏心運動部材４１３による偏心運動がアタッチメント４１８を介してそのままヘッド軸４２０に伝わりそのヘッド４２１に回転と円運動が与えられる。
【００７５】
この結果、図１９に示すように試験管状の容器５００に試料ａを入れ、ヘッド軸４２０のヘッド４２１側を挿入してスイッチを入れ、モータ４０３を回転させると、ヘッド軸４２０は容器５００内において軸回転すると共に円運動を行い、所謂すりこぎ運動によりそのヘッド４２１により試料ａを抹茶状になるまで微粉砕し、擂り潰すことにより、ＤＮＡの抽出を可能とする。
【００７６】
この擂り潰しの効果を高めるために、本実施例ではヘッド４２１及び容器５００内には微細な凹凸又は溝、リブ状の粗面加工が施されている。
【００７７】
また、前記ヘッド軸４２０の円運動は、スイッチが強の場合には回転が高まることにより、遠心力が高まることで大きな円運動となるが、偏心運動部材４１３が柔軟性（弾性）を有するために、ヘッド４２０側には強いすりこぎ運動が加えられるが、容器５００の内径でこの円運動の大きさは規制され、この規制は偏心運動部材４１３の柔軟性で吸収される。
【００７８】
４２３は、上記した撹拌棒の中途に形成された円板であって、図１９に示すように容器５００内で試料ａを擂り潰している際に、内部から試料が飛び散るのをこの円板４２３が容器５００の口側を軽く塞ぐことにより防止する。
【産業上の利用可能性】
【００７９】
・歯間の清掃と歯茎のブラッシング
・植物体からＤＮＡを抽出するときに用いる粉砕具
【符号の説明】
【００８０】
１  ケース
４、４ａ  ブラシ
８  電池室
９  電池
１０  モータ
１６  基板
２０  回転盤
２２  ツマミ
２４  Ｏリング
１００  シール機構
１０２  シール部材
２０３  ＯＮ、ＯＦＦスイッチ
３００  ブラシ体
４００  抽出具本体
４１３  偏心運動部材
４２０  ヘッド軸
４２１  ヘッド
５００  容器
【図１】
2012035061.tif 000003
【図２】
2012035061.tif 000004
【図３】
2012035061.tif 000005
【図４】
2012035061.tif 000006
【図５】
2012035061.tif 000007
【図６】
2012035061.tif 000008
【図７】
2012035061.tif 000009
【図８】
2012035061.tif 000010
【図９】
2012035061.tif 000011
【図１０】
2012035061.tif 000012
【図１１】
2012035061.tif 000013
【図１２】
2012035061.tif 000014
【図１３】
2012035061.tif 000015
【図１４】
2012035061.tif 000016
【図１５】
2012035061.tif 000017
【図１６】
2012035061.tif 000018
【図１７】
2012035061.tif 000019
【図１８】
2012035061.tif 000020
【図１９】
2012035061.tif 000021